(57)【特許請求の範囲】
【請求項１】
建物の床下空間を分割する布基礎に囲まれた地盤面に防湿コンクリートが打設され、該床下空間を分割する布基礎の立上部を貫通する点検口が人の通行を可能とする大きさを有して該立上部の下端側寄りに設けられている基礎の点検口構造であって、
前記点検口の両開口面の前方には、前記防湿コンクリートが前記点検口の周辺部を避けて該点検口の下端高さレベルよりも高く且つ基礎外周の地盤面高さレベルよりも高いレベルまでそれぞれ打設され、
前記点検口の周辺部の前記防湿コンクリートと前記布基礎の立上部との間に防湿部材がそれぞれ設置されていることを特徴とする基礎の点検口構造。
【請求項２】
前記防湿部材は除去可能に設置されたことを特徴とする請求項１に記載の基礎の点検口構造。
【発明の詳細な説明】
【技術分野】
【０００１】
本発明は、建物の床下空間を平面的に分割する布基礎に囲まれた地盤面に防湿コンクリートが打設され、該布基礎の立上部に貫通する点検口を設けた基礎の点検口構造に関するものである。
【背景技術】
【０００２】
従来、建物の床下空間に設備を設置する場合や点検する場合には室内から床下に通じる点検口或いは点検口を兼ねた床下収納を設置することが一般であるが、室内床面に点検口を設置すると外観や歩行時に違和感があり、また設備の無い床下空間は点検口の使用頻度が殆ど無いのが現状である。
【０００３】
一方、連続した布基礎が建物外周部のみである場合には内通りの布基礎を分断することにより点検口の無い部分にも進入することが出来るが、構造上、内通り布基礎の分断が出来ない場合には各床面に点検口を設置するか、布基礎を貫通して人が通行出来る点検口を設置することがある。例えば、本出願人は、特開２００１−０８１９０４号公報（特許文献１）、特開平１１−２５６７６５号公報（特許文献２）により建物の床下空間を分割する布基礎の立上部を貫通して人が通行出来る点検口を設ける技術を提案している。
【０００４】
また、特開２００３−２５３８５６号公報（特許文献３）の図４には玄関土間の床パネル高さの調整のために基礎の立上部を貫通する点検口が設けられ、該点検口の周辺部の床下側に勾配を有するコンクリートが打設されたことが記載されている。
【０００５】
【特許文献１】特開２００１−０８１９０４号公報
【特許文献２】特開平１１−２５６７６５号公報
【特許文献３】特開２００３−２５３８５６号公報（図４）
【発明の開示】
【発明が解決しようとする課題】
【０００６】
しかしながら、前述の従来例において、人が通行出来るためには、例えば高さ３００mm、幅５００mmの楕円形状程度の貫通口が必要であるが、布基礎の構造上の強度を確保するために立上部を貫通する点検口は、通常は点検口と布基礎上端の間に主筋を配置するので、該布基礎の上端に寄せて設置することが出来ない。また、防湿コンクリートの仕上げ面は外部からの水の浸入を抑制するために外周地盤面よりも高いレベルに設定されるため図19に示すように、布基礎１の立上部１ａを貫通して設けた点検口２の下端２ａが建物の床下空間４を分割する布基礎１に囲まれた地盤面３よりも低いレベルになってしまい、人が通行出来る開口面積が確保出来ないため点検口２を通行して床下空間４に入るためには布基礎１の周辺部の地盤面３の土や防湿コンクリートを除去する必要があり、狭い床下空間４での掘削作業は困難を極めていた。尚、図19中、10は換気口、51は床材９に設けられた点検口である。
【０００７】
また、特許文献３の図４に記載された技術では、勾配を有するコンクリートを打設することが技術上困難であり、また防湿コンクリート上に浸水した場合の排水設備が別途必要になるという問題があった。
【０００８】
本発明は前記課題を解決するものであり、その目的とするところは、防湿コンクリートが布基礎の立上部に貫通して設けた点検口の下端高さレベルよりも高く且つ基礎外周の地盤面高さレベルよりも高いレベルまで打設された場合でも点検口の通行が容易に出来、防湿コンクリート上に浸水した場合の排水が容易に出来る基礎の点検口構造を提供せんとするものである。
【課題を解決するための手段】
【０００９】
前記目的を達成するための本発明に係る基礎の点検口構造の第１の構成は、建物の床下空間を分割する布基礎に囲まれた地盤面に防湿コンクリートが打設され、該床下空間を分割する布基礎の立上部を貫通する点検口が人の通行を可能とする大きさを有して該立上部の下端側寄りに設けられている基礎の点検口構造であって、前記点検口の両開口面の前方には、前記防湿コンクリートが前記点検口の周辺部を避けて該点検口の下端高さレベルよりも高く且つ基礎外周の地盤面高さレベルよりも高いレベルまでそれぞれ打設され、前記点検口の周辺部の前記防湿コンクリートと前記布基礎の立上部との間に防湿部材がそれぞれ設置されていることを特徴とする。
【００１０】
また、本発明に係る基礎の点検口構造の第２の構成は、前記第１の構成において、前記防湿部材は除去可能に設置されたことを特徴とする。
【発明の効果】
【００１１】
本発明に係る基礎の点検口構造の第１の構成によれば、防湿コンクリートが布基礎の立上部を貫通して設けた点検口の周辺部を避けて打設され、該点検口の周辺部の防湿コンクリートと該布基礎の立上部との間に防湿部材を設置したことにより、人が通れるように点検口近傍の防湿部材の上面を点検口下端の高さにするなどして、周辺部の土や防湿コンクリートを除去する手間を省いて点検口の通行が容易に出来る。また、防湿部材と防湿コンクリートとが一体化し易いので、防湿機能をより発揮することが出来、地盤面からの湿気の抑制が確実に出来る。
【００１２】
また、防湿コンクリート内に浸水した場合には、点検口の周辺部の防湿コンクリートと該布基礎の立上部との間に設置した防湿部材の部位にポンプを設置する等して排水が容易に出来る。
【００１３】
また、本発明に係る基礎の点検口構造の第２の構成によれば、人手で防湿部材を除去することにより点検口の通行が容易に出来、また防湿コンクリート内に浸水した場合には、防湿部材を除去した部位から自然排水が出来る。
【発明を実施するための最良の形態】
【００１４】
図により本発明に係る基礎の点検口構造の一実施形態を具体的に説明する。
【実施例１】
【００１５】
先ず、図１及び図２を用いて本発明に係る基礎の点検口構造の第１実施形態について説明する。図１及び図２は本発明に係る基礎の点検口構造の第１実施形態の構成を示す斜視図及び断面説明図である。
【００１６】
図１及び図２において、１は建物の床下空間４を分割する布基礎であり、該布基礎１の立上部１ａを貫通して点検口２が設けられている。布基礎１に囲まれた地盤面３には点検口２の周辺部を避けて該点検口２の下端２ａ高さレベルよりも高く且つ基礎外周の地盤面５レベルよりも高い高さレベルまで防湿コンクリート６が打設されており、基礎外周の地盤面５から防湿コンクリート６内への浸水を抑制している。
【００１７】
点検口２の周辺部の防湿コンクリート６と布基礎１の立上部１ａとの間には防湿部材７が設置されている。防湿部材７としては合成樹脂製、金属製、コンクリート製等の成型材等により構成することが出来る。
【００１８】
本実施形態の防湿部材７は円筒形状或いは円錐形状の外周の一部を切り取った断面円弧状で平面略扇形形状の部材を図２に示すように傾斜させて配置し、断面が大きい円弧端部７ａを布基礎１の立上部１ａの点検口２の下端２ａレベルと面一か若しくはそれよりも下方に当接させ、断面が小さい円弧端部７ｂ及び断面が大きい円弧端部７ａから該断面が小さい円弧端部７ｂまでに至る両側辺７ｃを防湿コンクリート６の高さレベルと面一若しくはそれよりも高い位置に配置する。
【００１９】
防湿部材７を設置する場合には、図２に示すように、防湿部材７の下部に盛り土をして該防湿部材７を仮支持した状態で防湿コンクリート６を打設することにより該防湿部材７が型枠を兼ねて防湿コンクリート６と一体的に設置することが出来、防湿コンクリート６が布基礎１の立上部１ａに貫通して設けた点検口２の下端２ａの高さレベルよりも高く且つ基礎外周の地盤面５の高さレベルよりも高いレベルまで打設された場合でも防湿コンクリート６上面から点検口２の下端２ａに向かって傾斜して設けた防湿部材７の内周面により形成される窪み空間８により点検口２の通行が容易に出来る。
【００２０】
また、防湿部材７と防湿コンクリート６とが一体化して設置されることにより防湿機能を発揮することが出来、布基礎１に囲まれた床下空間４の地盤面３からの湿気の抑制が確実に出来る。
【００２１】
また、防湿コンクリート６内に浸水した場合には、点検口２の周辺部の防湿コンクリート６と布基礎１の立上部１ａとの間に設置した防湿部材７により形成される窪み空間８にポンプを設置して強制排水が容易に出来る。
【００２２】
尚、図中の９は床材、10は換気口である。本実施形態では、防湿コンクリート６の上面から床材９の下面までの離間間隔が３７０mm程度で点検口２の上下方向（図２の上下方向）の口径が３００mm程度で構成される。
【００２３】
尚、防湿コンクリート６の上面は一時的な作業床として使用でき、防湿部材７による窪み空間８は規模が小さく安全上の養生を容易に施すことが出来る。
【実施例２】
【００２４】
次に図３及び図４を用いて本発明に係る基礎の点検口構造の第２実施形態について説明する。図３及び図４は本発明に係る基礎の点検口構造の第２実施形態の構成を示す斜視図及び断面説明図である。尚、前記第１実施形態と同様に構成したものは同じ符号を付して説明を省略する。
【００２５】
本実施形態の防湿部材７は、図３及び図４に示すように、円筒形状或いは円錐形状の一部を切り取った断面円弧状の金属やコンクリート、樹脂製等の部材で構成され、その一端に起立片７ｄが設けられている。開放側の円弧端部７ｅを布基礎１の立上部１ａの点検口２の下端２ａレベルと面一か若しくはそれよりも下方に当接させ、起立片７ｄの上端部7d1及び起立片７ｄから開放側の円弧端部７ｅまでに至る両側辺７ｆを防湿コンクリート６の高さレベルと面一若しくはそれよりも高い位置に配置する。
【００２６】
防湿部材７を設置する場合には、図４に示すように、防湿部材７の下部に盛り土をして該防湿部材７を仮支持した状態で防湿コンクリート６を打設することにより該防湿部材７が型枠を兼ねて防湿コンクリート６と一体的に設置することが出来、防湿コンクリート６が布基礎１の立上部１ａに貫通して設けた点検口２の下端２ａの高さレベルよりも高く且つ基礎外周の地盤面５の高さレベルよりも高いレベルまで打設された場合でも防湿部材７の内周面により形成される窪み空間８により点検口２の通行が容易に出来る。他の構成は前記第１実施形態と同様に構成され、同様の効果を得ることが出来る。
【実施例３】
【００２７】
次に図５及び図６を用いて本発明に係る基礎の点検口構造の第３実施形態について説明する。図５及び図６は本発明に係る基礎の点検口構造の第３実施形態の構成を示す斜視図及び断面説明図である。尚、前記各実施形態と同様に構成したものは同じ符号を付して説明を省略する。
【００２８】
本実施形態の防湿部材７は、図５及び図６に示すように、方形状箱の１側面を除去した部材で構成されている。開放側の端部底板７ｇの上面7g1レベルを布基礎１の立上部１ａの点検口２の下端２ａレベルと面一か若しくはそれよりも下方に当接させ、底板７ｇから起立された他の３方の側板７ｈの上端7h1レベルを防湿コンクリート６の高さレベルと面一若しくはそれよりも高い位置に配置する。
【００２９】
防湿部材７を設置する場合には、防湿部材７を仮支持した状態で防湿コンクリート６を打設することにより該防湿部材７が型枠を兼ねて防湿コンクリート６と一体的に設置することが出来、防湿コンクリート６が布基礎１の立上部１ａに貫通して設けた点検口２の下端２ａの高さレベルよりも高く且つ基礎外周の地盤面５の高さレベルよりも高いレベルまで打設された場合でも防湿部材７の内部により形成される窪み空間８により点検口２の通行が容易に出来る。他の構成は前記各実施形態と同様に構成され、同様の効果を得ることが出来る。
【実施例４】
【００３０】
次に図７〜図９を用いて本発明に係る基礎の点検口構造の第４実施形態について説明する。図７及び図８は本発明に係る基礎の点検口構造の第４実施形態の構成を示す斜視図及び断面説明図、図９は本発明に係る基礎の点検口構造の第４実施形態の他の構成を示す斜視図である。尚、前記各実施形態と同様に構成したものは同じ符号を付して説明を省略する。
【００３１】
本実施形態の防湿部材７は、図７〜図９に示すように、点検口２の使用時には容易に破壊可能な例えば発泡スチロール製の箱状の部材で構成されている。そして、箱の底板７ｇの上面7g1レベルを布基礎１の立上部１ａの点検口２の下端２ａレベルと面一か若しくはそれよりも下方に配置すると共に、底板７ｇから起立された４方の側板７ｈの上端7h1レベルを防湿コンクリート６の高さレベルと面一若しくはそれよりも高い位置に配置した状態で一方の側板７ｈを点検口２を塞ぐようにして立上部１ａに当接させる。
【００３２】
図７及び図８は底板７ｇから起立された４方の側板７ｈの上端7h1レベルを防湿コンクリート６の高さレベルと略面一に配置した一例を示し、図９は底板７ｇから起立された４方の側板７ｈのうち点検口２に面した側板７ｈを除く３方の側板７ｈの上端7h1レベルを防湿コンクリート６の高さレベルよりも高い位置に配置した一例を示す。図９の構成によれば、防湿コンクリート６上に流れ込んだ水を側板７ｈにより堰き止めて箱状の防湿部材７内への水の浸入を防止することが出来る。
【００３３】
防湿部材７を設置する場合には、図８に示すように、防湿部材７の内部に石等の錘になるようなものを収容して該防湿部材７を仮支持した状態で防湿コンクリート６を打設することにより該防湿部材７が型枠を兼ねて防湿コンクリート６と一体的に設置することが出来、防湿コンクリート６が布基礎１の立上部１ａに貫通して設けた点検口２の下端２ａの高さレベルよりも高く且つ基礎外周の地盤面５の高さレベルよりも高いレベルまで打設された場合でも防湿部材７の点検口２を塞ぐ一方の側板７ｈを破壊して除去することにより防湿部材７の箱内空間により形成される窪み空間８により点検口２の通行が容易に出来る。他の構成は前記各実施形態と同様に構成され、同様の効果を得ることが出来る。
【実施例５】
【００３４】
次に図10及び図11を用いて本発明に係る基礎の点検口構造の第５実施形態について説明する。図10及び図11は本発明に係る基礎の点検口構造の第５実施形態の構成を示す斜視図及び断面説明図である。尚、前記各実施形態と同様に構成したものは同じ符号を付して説明を省略する。
【００３５】
本実施形態の防湿部材７は、図10及び図11に示すように、勾配面７ｉを有するポリエチレン系フォーム製、ポリスチレン系フォーム製等の台形状のブロック部材７ｓで構成されている。そして、ブロック部材７ｓの勾配面７ｉの低い側の側面７ｊの高さレベルを布基礎１の立上部１ａの点検口２の下端２ａレベルと面一か若しくはそれよりも下方に配置すると共に、勾配面７ｉの高い側の側面７ｋの高さレベルを防湿コンクリート６の高さレベルと面一若しくはそれよりも高い位置に配置する。
【００３６】
防湿部材７を設置する場合には、図11に示すように、防湿部材７の勾配面７ｉの低い側の側面７ｊを布基礎１の立上部１ａの点検口２よりも下部に当接させて配置し、該勾配面７ｉの低い側の側面７ｊと高い側の側面７ｋ以外の防湿部材７の２方の両側面７ｌに防湿性型枠11を配置して該防湿部材７を仮支持した状態で防湿コンクリート６を打設することにより該防湿部材７の高い側の側面７ｋが型枠を兼ねて防湿コンクリート６と一体的に設置することが出来、防湿コンクリート６が布基礎１の立上部１ａに貫通して設けた点検口２の下端２ａの高さレベルよりも高く且つ基礎外周の地盤面５の高さレベルよりも高いレベルまで打設された場合でも防湿部材７の勾配面７ｉにより形成される窪み空間８により点検口２の通行が容易に出来る。
【００３７】
また、防湿部材７を除去することにより点検口２の通行が容易に出来、防湿コンクリート６内に浸水した場合には、防湿部材７を除去した部位から地盤を介して自然排水が出来る。他の構成は前記各実施形態と同様に構成され、同様の効果を得ることが出来る。
【実施例６】
【００３８】
次に図12及び図13を用いて本発明に係る基礎の点検口構造の第６実施形態について説明する。図12及び図13は本発明に係る基礎の点検口構造の第６実施形態の構成を示す斜視図及び断面説明図である。尚、前記各実施形態と同様に構成したものは同じ符号を付して説明を省略する。
【００３９】
本実施形態の防湿部材７は、図12及び図13に示すように、ポリエチレン系フォーム製、ポリスチレン系フォーム製、フェノールフォーム製等の方形状のブロック部材７ｓを高さ方向に複数積層するか或いは水平方向に複数並設して構成されている。そして、ブロック部材７ｓ全体の最下面７ｐの高さレベルを布基礎１の立上部１ａの点検口２の下端２ａレベルと面一か若しくはそれよりも下方に配置すると共に、ブロック部材７ｓ全体の最上面７ｎの高さレベルを防湿コンクリート６の高さレベルと面一若しくはそれよりも高い位置に配置する。
【００４０】
防湿部材７を設置する場合には、図13に示すように、防湿部材７の布基礎１の立上部１ａに面する側面７ｑ以外の３方の側面７ｒに防湿性型枠11を配置して防湿コンクリート６を打設することにより防湿性型枠11を介して防湿コンクリート６と一体的に設置することが出来、防湿コンクリート６が布基礎１の立上部１ａに貫通して設けた点検口２の下端２ａの高さレベルよりも高く且つ基礎外周の地盤面５の高さレベルよりも高いレベルまで打設された場合でも防湿性型枠11内の防湿部材７を除去することにより形成される窪み空間８により点検口２の通行が容易に出来る。
【００４１】
尚、図12及び図13は説明の都合上、布基礎１の立上部１ａの図面左側に方形状のブロック部材７ｓを３層積層し、図面右側に方形状のブロック部材７ｓを３個並設した一例について説明したが、左右同様な配置で方形状のブロック部材７ｓを複数積層するか或いは複数並設して構成することも出来、ブロック部材７ｓは種々の分割仕様が適用可能である。また、分割されない１つのブロック部材７ｓで防湿部材７を構成することでも良い。他の構成は前記各実施形態と同様に構成され、同様の効果を得ることが出来る。
【実施例７】
【００４２】
次に図14を用いて本発明に係る基礎の点検口構造の第７実施形態について説明する。図14は本発明に係る基礎の点検口構造の第７実施形態の構成を示す断面説明図である。尚、前記各実施形態と同様に構成したものは同じ符号を付して説明を省略する。
【００４３】
本実施形態の防湿部材７は、図14に示すように、布基礎１の立上部１ａの点検口２の周辺部の地盤面３を該点検口２の下端２ａレベルよりも下方まで掘り下げてポリエチレンフィルム等の防湿シート７ｔを敷設し、該防湿シート７ｔ上に砂や土、ＡＬＣ（軽量気泡コンクリート）紛、炭等を収容した押さえ袋12を載置して構成されている。
【００４４】
防湿部材７を設置する場合には、図14に示すように、防湿部材７の布基礎１の立上部１ａに面する側以外の３方の側に防湿性型枠11を配置して防湿コンクリート６を打設することにより防湿性型枠11を介して防湿コンクリート６と一体的に設置することが出来、防湿コンクリート６が布基礎１の立上部１ａに貫通して設けた点検口２の下端２ａの高さレベルよりも高く且つ基礎外周の地盤面５の高さレベルよりも高いレベルまで打設された場合でも防湿性型枠11内の防湿部材７上の押さえ袋12を除去することにより形成される窪み空間８により点検口２の通行が容易に出来る。他の構成は前記各実施形態と同様に構成され、同様の効果を得ることが出来る。
【実施例８】
【００４５】
次に図15及び図16を用いて本発明に係る基礎の点検口構造の第８実施形態について説明する。図15及び図16は本発明に係る基礎の点検口構造の第８実施形態の構成を示す断面説明図及び平面図である。尚、前記各実施形態と同様に構成したものは同じ符号を付して説明を省略する。
【００４６】
本実施形態では、図15及び図16に示すように、布基礎１の立上部１ａの点検口２の周辺部と、床下空間４に配置され、床材９を支持する鉄骨梁13の下方の所定領域とを避けて防湿コンクリート６が打設され、鉄骨梁13の下方でも人が通行できるように前述と同様な防湿部材７を設置したものである。他の構成は前記各実施形態と同様に構成され、同様の効果を得ることが出来る。
【実施例９】
【００４７】
次に図17及び図18を用いて本発明に係る基礎の点検口構造の第９実施形態について説明する。図17及び図18は本発明に係る基礎の点検口構造の第９実施形態の構成を示す断面説明図及び平面図である。尚、前記各実施形態と同様に構成したものは同じ符号を付して説明を省略する。
【００４８】
本実施形態では、図17及び図18に示すように、点検口２が設けられた布基礎１の立上部１ａと鉄骨梁13とが比較的近距離に配置された場合に該点検口２の周辺部と、鉄骨梁13の下方との連続領域を避けて防湿コンクリート６が打設され、点検口２及び鉄骨梁13の下方を人が通行できるように前述と同様な防湿部材７を設置したものである。他の構成は前記各実施形態と同様に構成され、同様の効果を得ることが出来る。
【産業上の利用可能性】
【００４９】
本発明の活用例として、建物の床下空間を分割する布基礎に囲まれた地盤面に防湿コンクリートが打設され、該布基礎の立上部に貫通する点検口を設けた基礎の点検口構造に適用することが出来る。
【図面の簡単な説明】
【００５０】
【図１】本発明に係る基礎の点検口構造の第１実施形態の構成を示す斜視図である。
【図２】本発明に係る基礎の点検口構造の第１実施形態の構成を示す断面説明図である。
【図３】本発明に係る基礎の点検口構造の第２実施形態の構成を示す斜視図である。
【図４】本発明に係る基礎の点検口構造の第２実施形態の構成を示す断面説明図である。
【図５】本発明に係る基礎の点検口構造の第３実施形態の構成を示す斜視図である。
【図６】本発明に係る基礎の点検口構造の第３実施形態の構成を示す断面説明図である。
【図７】本発明に係る基礎の点検口構造の第４実施形態の構成を示す斜視図である。
【図８】本発明に係る基礎の点検口構造の第４実施形態の構成を示す断面説明図である。
【図９】本発明に係る基礎の点検口構造の第４実施形態の他の構成を示す斜視図である。
【図１０】本発明に係る基礎の点検口構造の第５実施形態の構成を示す斜視図である。
【図１１】本発明に係る基礎の点検口構造の第５実施形態の構成を示す断面説明図である。
【図１２】本発明に係る基礎の点検口構造の第６実施形態の構成を示す斜視図である。
【図１３】本発明に係る基礎の点検口構造の第６実施形態の構成を示す断面説明図である。
【図１４】本発明に係る基礎の点検口構造の第７実施形態の構成を示す断面説明図である。
【図１５】本発明に係る基礎の点検口構造の第８実施形態の構成を示す断面説明図である。
【図１６】本発明に係る基礎の点検口構造の第８実施形態の構成を示す平面図である。
【図１７】本発明に係る基礎の点検口構造の第９実施形態の構成を示す断面説明図である。
【図１８】本発明に係る基礎の点検口構造の第９実施形態の構成を示す平面図である。
【図１９】従来例の課題を説明する図である。
【符号の説明】
【００５１】
１…布基礎
１ａ…立上部
２…点検口
２ａ…下端
３…布基礎に囲まれた地盤面
４…床下空間
５…基礎外周の地盤面
６…防湿コンクリート
７…防湿部材
７ａ…断面が大きい円弧端部
７ｂ…断面が小さい円弧端部
７ｃ…側辺
７ｄ…起立片
7d1…上端部
７ｅ…開放側の円弧端部
７ｆ…側辺
７ｇ…底板
7g1…上面
７ｈ…側板
7h1…上端
７ｉ…勾配面
７ｊ…低い側の側面
７ｋ…高い側の側面
７ｌ…側面
７ｎ…最上面
７ｐ…最下面
７ｑ…側面
７ｒ…側面
７ｓ…ブロック部材
７ｔ…防湿シート
８…窪み空間
９…床材
10…換気口
11…防湿性型枠
12…押さえ袋
13…鉄骨梁
【図１】
0004703330.tif 000002
【図２】
0004703330.tif 000003
【図３】
0004703330.tif 000004
【図４】
0004703330.tif 000005
【図５】
0004703330.tif 000006
【図６】
0004703330.tif 000007
【図７】
0004703330.tif 000008
【図８】
0004703330.tif 000009
【図９】
0004703330.tif 000010
【図１０】
0004703330.tif 000011
【図１１】
0004703330.tif 000012
【図１２】
0004703330.tif 000013
【図１３】
0004703330.tif 000014
【図１４】
0004703330.tif 000015
【図１５】
0004703330.tif 000016
【図１６】
0004703330.tif 000017
【図１７】
0004703330.tif 000018
【図１８】
0004703330.tif 000019
【図１９】
0004703330.tif 000020